(57)【要約】      （修正有）【課題】ストリーミング通信の通信品質が劣化した場合でもストリーミング通信を適切に実行できる、通信方式が異なる複数の無線通信部を備える無線通信装置を提供する。【解決手段】無線通信装置１００の切替部１００−１２は、通信品質判定部１００−１２が、コンテンツをストリーミング通信中の第１の無線通信部１００−１３の通信品質が基準を満たさないと判定し（Ｓ１１０）、且つ第２の無線通信部１００−１４の通信品質が基準を満たすと判定し（Ｓ１１４）、更に、送信装置判定部が、第２の無線通信部１００−１４の通信方式で他の無線通信装置２００が前記コンテンツを送信できると判定した場合に（Ｓ１２７）、ストリーミング再生部が再生するコンテンツをストリーミング通信する無線通信部を、第１の無線通信部１００−１３から第２の無線通信部１００−１４に切り替える（Ｓ１２７）。【選択図】図４
2013110478.tif 000002
【特許請求の範囲】
【請求項１】
無線通信装置であって、
第１の無線通信部と、
該第１の無線通信部とは通信方式が異なる第２の無線通信部と、
前記第１の無線通信部および前記第２の無線通信部の通信品質を監視する通信品質監視部と、
前記通信品質監視部により監視される通信品質が予め定められた基準を満たすかを判定する通信品質判定部と、
前記第１の無線通信装置または前記第２の無線通信装置により受信されるコンテンツをストリーミング再生するストリーミング再生部と、
他の無線通信装置が所定の通信方式で前記コンテンツを送信できるかを判定する送信装置判定部と、
前記通信品質判定部が、前記コンテンツをストリーミング通信中の前記第１の無線通信部の通信品質が基準を満たさないと判定し、且つ前記第２の無線通信部の通信品質が基準を満たすと判定し、更に、前記送信装置判定部が、前記第２の無線通信部の通信方式で他の無線通信装置が前記コンテンツを送信できると判定した場合に、前記ストリーミング再生部が再生するコンテンツをストリーミング通信する無線通信部を、前記第１の無線通信部から前記第２の無線通信部に切り替える切替部と、
を具備することを特徴とする無線通信装置。
【請求項２】
請求項１記載の無線通信装置であって、
前記第２の無線通信部は前記第１の無線通信部の通信方式よりも送信電力が大きい通信方式を用いる
ことを特徴とする無線通信装置。
【請求項３】
請求項１または２記載の無線通信装置であって、
前記第２の無線通信部が前記コンテンツをストリーミング通信しているときに、前記切替部は、前記通信品質判定部により前記第１の無線通信部の通信品質が基準を満たすと判定され、且つ前記送信装置判定部により前記第１の無線通信部の通信方式で他の無線通信装置が前記コンテンツを送信できると判定された場合に、ストリーミング通信する無線通信部を、前記第２の無線通信部から前記第１の無線通信部に切り替える、
ことを特徴とする無線通信装置。
【請求項４】
請求項１から請求項３のいずれか１項記載の無線通信装置であって、
前記切替部は、ストリーミング通信する前記無線通信部の切り替えが完了した後に、切り替え前の前記無線通信部による前記コンテンツの受信を切断する、
ことを特徴とする無線通信装置。
【請求項５】
請求項１から請求項４のいずれか１項記載の無線通信装置であるコンテンツ受信装置と、
前記コンテンツ受信装置にコンテンツを送信するコンテンツ送信装置と、
を具備する無線通信システムであって、
前記コンテンツ送信装置は、
前記コンテンツ受信装置の前記第１の無線通信部に接続可能な第１の送信側無線通信部と、
前記コンテンツ受信装置の前記第２の無線通信部に接続可能な第２の送信側無線通信部と、
前記第１の送信側無線通信部および前記第２の送信側無線通信部の通信品質を監視する送信側通信品質監視部と、
前記送信側通信品質監視部により監視される通信品質が予め定められた基準を満たすかを判定する送信側通信品質判定部と、
前記送信側通信品質判定部により前記コンテンツをストリーミング通信中の前記第１の送信側無線通信部の通信品質が基準を満たさないと判定され、且つ、前記コンテンツ受信装置の前記切替部により、ストリーミング通信する送信側無線通信部を、前記第１の送信側無線通信部から前記第２の送信側無線通信部に切り替える要求があった場合に、ストリーミング通信する送信側無線通信部を、前記第１の送信側無線通信部から前記第２の送信側無線通信部に切り替える送信側切替部と、
を具備することを特徴とする無線通信システム。
【請求項６】
第１の無線通信部と、該第１の無線通信部とは通信方式が異なる第２の無線通信部と、を用いる無線通信方法であって、
前記第１の無線通信部により受信されるコンテンツをストリーミング再生し、
前記第１の無線通信部の通信品質を監視し、
前記第１の無線通信部の通信品質が予め定められた基準を満たすかを判定し、
前記第１の無線通信部の通信品質が予め定められた基準を満たさないと判定された場合、前記第２の無線通信部の通信品質を監視し、
前記第２の無線通信部の通信品質が予め定められた基準を満たすかを判定すると共に、前記第２の無線通信部の通信方式で他の無線通信装置が前記コンテンツを送信できるか判定し、
前記第２の無線通信部の通信品質が予め定められた基準を満たすと判定され、且つ、前記第２の無線通信部の通信方式で他の無線通信装置が前記コンテンツを送信できると判定された場合に、ストリーミング通信する無線通信部を、前記第１の無線通信部から前記第２の無線通信部に切り替える、
ことを特徴とする無線通信方法。
【請求項７】
請求項６記載の無線通信方法であって、
前記第２の無線通信部は前記第１の無線通信部の通信方式よりも送信電力が大きい通信方式を用いる
ことを特徴とする無線通信方法。
【請求項８】
請求項６または７記載の無線通信方法であって、
前記第２の無線通信部が前記コンテンツをストリーミング通信しているときに、前記第１の無線通信部の通信品質が基準を満たすと判定され、且つ前記第１の無線通信部の通信方式で他の無線通信装置が前記コンテンツを送信できると判定された場合に、ストリーミング通信する無線通信部を、前記第２の無線通信部から前記第１の無線通信部に切り替える、
ことを特徴とする無線通信方法。
【請求項９】
請求項６から請求項８のいずれか１項記載の無線通信方法であって、
ストリーミング通信する前記無線通信部の切り替えが完了した後に、切り替え前の前記無線通信部による前記コンテンツの受信を切断する、
ことを特徴とする無線通信方法。
【発明の詳細な説明】
【技術分野】
【０００１】
本明細書で論じられる実施形態は、通信方式が異なる複数の無線通信部を備える無線通信装置と、この無線通信装置を備える無線通信システムと、通信方式が異なる複数の無線通信部を用いる無線通信方法とに関する。
【背景技術】
【０００２】
従来、通信方式が異なる複数の無線通信部を備える無線通信装置が知られている。
無線通信部の通信方式としては、例えば、Bluetooth（登録商標：例えば、Bluetooth Specification version3.0+HSに準拠）、ＷＬＡＮ（Wireless Local Area Network：例えば、IEEE Std 802.11に準拠）などが挙げられる。
【０００３】
無線通信装置の一例である、デジタル携帯電話機を搭載した通信端末としては、例えば、Digital Living Network Alliance(ＤＬＮＡ) Guideline ver1.5、およびIMT-2000規格またはIMT-Advanced規格に準拠するものが挙げられる。
【０００４】
一例として、ストリーミング再生は、音楽プレイヤアプリケーションを搭載し、音楽ソースを保持する携帯電話機と、再生デバイスであるヘッドセットとの間をBluetoothで接続し、コンテンツであるオーディオデータを携帯電話機からヘッドセットに転送することで行われる。
【０００５】
他の一例として、ストリーミング再生は、動画ソースである家庭内の据え置きテレビと再生デバイスである携帯電話機とをBluetoothで接続し、コンテンツである動画データをテレビから携帯電話機に転送することで行われる。
【０００６】
ところで、無線通信装置において、ＳＮ比等の受信状態、消費電力、或いはバッテリ残量を基に通信方式を選択する手法が提案されている。
また、無線通信装置において、接続が要求される機器と共通して有する通信方式を確認し、確認した通信方式のうち所定の条件を満たす通信方式を選択する手法が提案されている。
【先行技術文献】
【特許文献】
【０００７】
【特許文献１】特開２００６−２５４５０８号公報
【特許文献２】特開２０１０−１６６３５５号公報
【特許文献３】特開２０１１−１５５３５３号公報
【非特許文献】
【０００８】
【非特許文献１】Bluetooth Specification version3.0+HS
【非特許文献２】IEEE Std 802.11(2007)
【非特許文献３】Digital Living Network Alliance(ＤＬＮＡ) Guideline ver1.5
【発明の概要】
【発明が解決しようとする課題】
【０００９】
ストリーミング再生中、例えば、携帯電話機をズボンの後ろポケットに入れることによって人間の身体が携帯電話機とヘッドセットとの間に入ってしまうことで、電波が阻害されることがある。
【００１０】
あるいは、ストリーミング再生中、動画ソースである家庭内の据え置きテレビと再生デバイスである携帯電話機とをBluetoothで接続してしながら携帯電話機を屋外に持ち出すと、テレビと携帯電話機との間の距離が広がり十分な電波特性が出なくなることがある。
【００１１】
以上のような状況下では、オーディオデータが欠落して音切れしたり、動画データが欠落してコマ落ちする等の問題が発生する。
本明細書で開示する無線通信装置、無線通信システム、および無線通信方法は、ストリーミング通信の通信品質が劣化した場合でもストリーミング通信を適切に実行できるようにする。
【課題を解決するための手段】
【００１２】
本明細書で開示する無線通信装置は、第１の無線通信部と、第２の無線通信部と、通信品質監視部と、通信品質判定部と、ストリーミング再生部と、送信装置判定部と、切替部と、を具備する。前記第２の無線通信部は、前記第１の無線通信部とは通信方式が異なる。前記通信品質監視部は、前記第１の無線通信部および前記第２の無線通信部の通信品質を監視する。前記通信品質判定部は、前記通信品質監視部により監視される通信品質が予め定められた基準を満たすかを判定する。前記ストリーミング再生部は、前記第１の無線通信装置または前記第２の無線通信装置により受信されるコンテンツをストリーミング再生する。前記送信装置判定部は、他の無線通信装置が所定の通信方式で前記コンテンツを送信できるかを判定する。前記切替部は、前記通信品質判定部が、前記コンテンツをストリーミング通信中の前記第１の無線通信部の通信品質が基準を満たさないと判定し、且つ前記第２の無線通信部の通信品質が基準を満たすと判定し、更に、前記送信装置判定部が、前記第２の無線通信部の通信方式で他の無線通信装置が前記コンテンツを送信できると判定した場合に、前記ストリーミング再生部が再生するコンテンツをストリーミング通信する無線通信部を、前記第１の無線通信部から前記第２の無線通信部に切り替える。
【００１３】
本明細書で開示する無線通信システムは、前記無線通信装置であるコンテンツ受信装置と、前記コンテンツ受信装置にコンテンツを送信するコンテンツ送信装置と、を具備する無線通信システムである。前記コンテンツ送信装置は、第１の送信側無線通信部と、第２の送信側無線通信部と、送信側通信品質監視部と、送信側通信品質判定部と、送信側切替部と、を具備する。前記第１の送信側無線通信部は、前記コンテンツ受信装置の前記第１の無線通信部に接続可能である。前記第２の送信側無線通信部は、前記コンテンツ受信装置の前記第２の無線通信部に接続可能である。前記送信側通信品質監視部は、前記第１の送信側無線通信部および前記第２の送信側無線通信部の通信品質を監視する。前記送信側通信品質判定部は、前記送信側通信品質監視部により監視される通信品質が予め定められた基準を満たすかを判定する。前記送信側切替部は、前記送信側通信品質判定部により前記コンテンツをストリーミング通信中の前記第１の送信側無線通信部の通信品質が基準を満たさないと判定され、且つ、前記コンテンツ受信装置の前記切替部により、ストリーミング通信する送信側無線通信部を、前記第１の送信側無線通信部から前記第２の送信側無線通信部に切り替える要求があった場合に、ストリーミング通信する送信側無線通信部を、前記第１の送信側無線通信部から前記第２の送信側無線通信部に切り替える。
【００１４】
本明細書で開示する無線通信方法は、第１の無線通信部と、この第１の無線通信部とは通信方式が異なる第２の無線通信部と、を用いる無線通信方法である。前記無線通信方法は、前記第１の無線通信部により受信されるコンテンツをストリーミング再生し、前記第１の無線通信部の通信品質を監視し、前記第１の無線通信部の通信品質が予め定められた基準を満たすかを判定する。また、前記無線通信方法は、前記第１の無線通信部の通信品質が予め定められた基準を満たさないと判定された場合、前記第２の無線通信部の通信品質を監視し、前記第２の無線通信部の通信品質が予め定められた基準を満たすかを判定すると共に、前記第２の無線通信部の通信方式で他の無線通信装置が前記コンテンツを送信できるか判定する。また、前記無線通信方法は、前記第２の無線通信部の通信品質が予め定められた基準を満たすと判定され、且つ、前記第２の無線通信部の通信方式で他の無線通信装置が前記コンテンツを送信できると判定された場合に、ストリーミング通信する無線通信部を、前記第１の無線通信部から前記第２の無線通信部に切り替える。
【発明の効果】
【００１５】
本明細書で開示する無線通信装置、無線通信システム、および無線通信方法によれば、ストリーミング再生中に通信品質が予め定めた基準よりも劣化した場合でもストリーミング通信を適切に実行できる。
【図面の簡単な説明】
【００１６】
【図１Ａ】実施形態の概要を説明するための説明図である。
【図１Ｂ】実施形態の概要を説明するための説明図である。
【図２】実施形態に係る無線通信システムを示す構成図である。
【図３】実施形態に係る無線通信装置を示す構成図である。
【図４】実施形態における第１のシーケンス図である。
【図５】実施形態における第２のシーケンス図である。
【図６】実施形態における第３のシーケンス図である。
【図７】実施形態における第４のシーケンス図である。
【図８】ストリーミングデータのオーバーラップを説明するための説明図である。
【発明を実施するための形態】
【００１７】
図１Ａおよび図１Ｂは、実施形態の概要を説明するための説明図である。
無線通信装置（コンテンツ受信装置）の一例である携帯電話機（携帯通信端末）１０は、例えば、BluetoothのA2DP（Advanced Audio Distribution Profile）SNK（シンク）機能、およびM-DMP(Mobile-Digital Media Player)機能を実装され、コンテンツの選択およびストリーミング再生を行う。
【００１８】
コンテンツ送信装置の一例であるテレビ２、レコーダ３等のＡＶ機器は、例えば、BluetoothのA2DP SRC（ソース）機能、およびＤＬＮＡのDMS(Digital Media Server)機能を実装されている。
【００１９】
図１Ａに示すように、携帯電話機１０とＡＶ機器２，３とがBluetooth接続され、音楽再生サービスを行うためのA2DPのセッションが確立され、携帯電話機１０にてストリーミング再生が行われている状態を考える。
【００２０】
ここで、携帯電話機１０を所持したユーザが例えば家の外に出て機器間（携帯電話機１０とＡＶ機器２，３との間）の距離が大きくなると、通信品質が劣化し、ストリーミング再生で音切れ、コマ落ち等の障害が発生する。
【００２１】
詳しくは後述するが、このときにBluetooth（第１の無線通信部の通信方式の一例）よりも送信電力が大きい（または、電波特性が強い若しくは通信容量が大きい）ＷＬＡＮ（第２の無線通信部の通信方式の一例）が利用可能かの確認が行われる。
【００２２】
また、ＷＬＡＮの通信品質が確保できていて、且つ、再生中のコンテンツをストリーミング再生可能なＷＬＡＮを利用したデータ転送手順がＡＶ機器２，３によりサポートされていて、その状態でＷＬＡＮによってストリーミング通信可能な状態にあるかの判断が行われる。
【００２３】
ＷＬＡＮによってストリーミング通信可能な状態にあると判断できた場合には、ＷＬＡＮ接続が確立され、ＤＬＮＡ機能によって所望のコンテンツ転送が開始される。そして、図１Ｂに示すようにストリーミング通信する無線接続をハンドオーバーする（切り替える）ことによって音切れ等の障害を回避することができる。
【００２４】
図２は、実施形態に係る無線通信システム１を示す構成図である。
無線通信システム１は、コンテンツ受信装置（無線通信装置）１００と、コンテンツ送信装置２００とを具備する。
【００２５】
コンテンツ受信装置１００は、第１の無線通信部１０１と、この第１の無線通信部１０１とは通信方式が異なり、例えば、第１の無線通信部１０１よりも送信電力が大きい第２の無線通信部１０２と、を含む複数の無線通信部を具備する無線通信装置である。
【００２６】
第１の無線通信部１０１の通信方式は、例えばBluetoothであり、第２の無線通信部１０２の通信方式は、例えばＷＬＡＮである。なお、通信方式は、ＬＴＥ、ＷｉＭＡＸなどの他の通信方式を用いてもよい。また、３つ以上の無線通信部が例えば段階的に切り替えられるようにしてもよい。
【００２７】
コンテンツ受信装置１００は、通信品質監視部１０３と、通信品質判定部１０４と、ストリーミング再生部１０５と、送信装置判定部１０６と、切替部１０７と、を更に具備する。
【００２８】
通信品質監視部１０３は、複数の無線通信部１０１，１０２の通信品質を監視する。
通信品質判定部１０４は、通信品質監視部１０３により監視される通信品質が予め定められた基準を満たすかを判定する。
【００２９】
ストリーミング再生部１０５は、複数の無線通信部１０１，１０２のいずれかにより受信される例えばオーディオデータ、動画データ等のコンテンツをストリーミング再生する。
【００３０】
送信装置判定部１０６は、コンテンツ送信装置２００などの他の無線通信装置が所定の通信方式（例えば、第２の無線通信部の通信方式）でコンテンツを送信できるかを判定する。
【００３１】
切替部１０７は、下記３つの判定条件を満たすときに、ストリーミング通信する無線通信部を、第１の無線通信部１０１から第２の無線通信部１０２に切り替える。
３つの判定条件の１つ目は、通信品質判定部１０４が、上記コンテンツをストリーミング通信中の第１の無線通信部１０１の通信品質が基準を満たさないと判定することである。
【００３２】
３つの判定条件の２つ目は、通信品質判定部１０４が、第２の無線通信部１０２の通信品質が基準を満たすと判定することである。
３つの判定条件の３つ目は、送信装置判定部１０６が、所定の通信方式（第２の無線通信部１０２の通信方式）でコンテンツ送信装置２００がコンテンツを送信できると判定することである。
【００３３】
コンテンツ送信装置２００は、複数の送信側無線通信部２０１，２０２と、送信側通信品質監視部２０３と、送信側通信品質判定部２０４と、コンテンツ再生部２０５と、送信側切替部２０６と、を具備する。
【００３４】
複数の送信側無線通信部２０１，２０２は、コンテンツ受信装置１００の第１の無線通信部１０１に接続可能な第１の送信側無線通信部２０１と、コンテンツ受信装置１００の第２の無線通信部１０２に接続可能な第２の送信側無線通信部２０２と、を含む。
【００３５】
送信側通信品質監視部２０３は、複数の送信側無線通信部２０１，２０２の通信品質を監視する。
送信側通信品質判定部２０４は、送信側通信品質監視部２０３により監視される通信品質が予め定められた基準を満たすかを判定する。
【００３６】
コンテンツ再生部２０５は、第１の送信側無線通信部２０１または第２の送信側無線通信部２０２によりコンテンツ受信装置１００に転送されるコンテンツを、転送のために再生する。
【００３７】
送信側切替部２０６は、下記２つの条件を満たす場合に、ストリーミング通信する無線通信部を、第１の送信側無線通信部２０１から第２の送信側無線通信部２０２に切り替える。
【００３８】
２つの条件の１つ目は、送信側通信品質判定部２０４が上記コンテンツをストリーミング通信中の第１の送信側無線通信部２０１の通信品質が基準を満たさないと判定することである。
【００３９】
２つの条件の２つ目は、コンテンツ受信装置１００の切替部１０７が、ストリーミング通信する送信側無線通信部２０１，２０２を、第１の送信側無線通信部２０１から第２の送信側無線通信部２０２に切り替える要求をした場合である。
【００４０】
図３は、実施形態に係る携帯電話機１０を示す構成図である。
コンテンツ受信装置１００またはコンテンツ送信装置２００の一例である携帯電話機１０（通信端末）は、端末制御部１１と、近距離無線制御部１２と、Bluetooth通信制御部１３と、ＷＬＡＮ通信制御部１４と、ＤＬＮＡ機器動作制御部１５と、ストリーミング再生制御部１６と、操作部１７と、表示部１８と、音声入力部１９と、無線電話通信部２０と、記憶部２１と、を備える。
【００４１】
携帯電話機１０がコンテンツ受信装置１００またはコンテンツ送信装置２００である場合、近距離無線制御部１２は、図２に示す、通信品質監視部１０３，送信側通信品質監視部２０３、通信品質判定部１０４または送信側通信品質判定部２０４、および切替部１０７または送信側切替部２０６の一例として機能する。ＤＬＮＡ機器動作制御部１５は、送信装置判定部１０６の一例として機能する。ストリーミング再生制御部１６は、ストリーミング再生部１０５またはコンテンツ再生部２０５の一例として機能する。Bluetooth通信制御部１３は、第１の無線通信部１０１，送信側無線通信部２０１の一例として機能する。ＷＬＡＮ通信制御部１４は、第２の送信側無線通信部１０２，２０２の一例として機能する。
【００４２】
端末制御部１１は、携帯電話機１０のソフトウェア全体を制御するＣＰＵである。このＣＰＵは、記憶部２１に格納されている制御プログラムを読み出して実行することにより、端末制御部１１としての機能の提供が可能になる。
【００４３】
近距離無線制御部１２は、Bluetooth、およびＷＬＡＮの無線品質を監視する。また、近距離無線制御部１２は、通信品質監視部１０３により監視される通信品質が予め定められた基準を満たすかを判定する。また、近距離無線制御部１２は、後述する所定の条件を満たすときに、ストリーミング通信する無線通信部（Bluetooth制御部１３，ＷＬＡＮ通信制御部１４）を切り替える。
【００４４】
Bluetooth通信制御部１３は、Bluetoothによるデータ通信を制御する。
ＷＬＡＮ通信制御部１４は、ＷＬＡＮの一例であるIEEE802.11を制御する。
詳しくは図４を参照しながら後述するが、コンテンツ受信装置１００（自機１００であり、例えば、ＡＶ機器２，３からコンテンツを受信する携帯電話機１０、或いは、携帯電話機１０からコンテンツを受信するヘッドセット）の近距離無線制御部１００−１２は、下記３つの判定条件を満たすときに、Bluetooth通信制御部１００−１３（第１の無線通信部１０１）を、より送信電力の大きいＷＬＡＮ通信制御部１００−１４（第２の無線通信部１０２）に切り替える。
【００４５】
３つの判定条件の１つ目は、近距離無線制御部１００−１２が、上記コンテンツをストリーミング通信中のBluetooth通信制御部１００−１３の通信品質が基準を満たさないと判定することである。
【００４６】
３つの判定条件の２つ目は、近距離無線制御部１００−１２が、ＷＬＡＮ通信制御部１００−１４の通信品質が基準を満たすと判定することである。
３つの判定条件の３つ目は、コンテンツ受信装置１００のＤＬＮＡ機器動作制御部１５が、所定の通信方式（第２の無線通信部１０２の通信方式）でコンテンツ送信装置２００がコンテンツを送信できると判定することである。
【００４７】
これら３つの判定条件を満たすときに、近距離無線制御部１００−１２は、ストリーミング再生制御部１６により再生されるコンテンツをストリーミング通信する無線通信部を、Bluetooth通信制御部１００−１３からＷＬＡＮ通信制御部１００−１４に切り替える。
【００４８】
また、詳しくは図５を参照しながら後述するが、コンテンツ受信装置１００の近距離無線制御部１００−１２は、ＷＬＡＮ通信制御部１００−１４がコンテンツをストリーミング通信しているときにBluetooth通信制御部１００−１３の通信品質が基準を満たすか例えばポーリングして判定する。
【００４９】
近距離無線制御部１００−１２は、基準を満たすと判定した場合、ＤＬＮＡ機器動作制御部１５によりBluetooth通信制御部１００−１３の通信方式でＷＬＡＮ通信制御部１００−１４がコンテンツを送信できると判定されることで、Bluetooth通信制御部１００−１３に切り替える。
【００５０】
また、詳しくは図６を参照しながら後述するが、コンテンツ送信装置２００の近距離無線制御部２００−１２は、下記２つの条件を満たすときに、Bluetooth通信制御部２００−１３をＷＬＡＮ通信制御部２００−１４に切り替える。
【００５１】
２つの条件の１つは、近距離無線制御部２００−１２が、Bluetooth通信制御部２００−１３の通信品質が基準を満たさないと判定することである。もう１つは、コンテンツ受信装置１００の近距離無線制御部１００−１２により、ストリーミング通信する送信側の無線通信部を、Bluetooth通信制御部２００−１３からＷＬＡＮ通信制御部２００−１４に切り替える要求があったときである。
【００５２】
但し、コンテンツ送信装置２００は、通信品質を監視・判定せずに図７のように、ストリーミング通信する送信側の無線通信部を、Bluetooth通信制御部２００−１３からＷＬＡＮ通信制御部２００−１４に切り替える要求があったという条件のみで無線通信部の切替を行ってもよい。
【００５３】
また、詳しくは図７を参照しながら後述するが、近距離無線制御部２００−１２は、コンテンツ受信装置１００の近距離無線制御部１００−１２により、ストリーミング通信する送信側の無線通信部を、ＷＬＡＮ通信制御部２００−１４からBluetooth通信制御部２００−１３に切り替える要求があったとき、切替を行う。
【００５４】
ＤＬＮＡ機器動作制御部１５は、ＤＬＮＡに準拠した機器の検索、コンテンツ情報の取得、コンテンツ転送などを制御する。
ストリーミング再生制御部１６は、携帯電話機１０がコンテンツ送信装置２００として用いられる場合、ユーザが指定したコンテンツの再生を行うとともに、利用可能な音出力先（例えばヘッドセット或いは携帯電話機１０）に再生結果を転送する。
【００５５】
また、ストリーミング再生制御部１６は、携帯電話機１０がコンテンツ送信装置１００として用いられる場合、ストリーミング再生部の一例としてストリーミング再生を行うとよい。
【００５６】
操作部１７は、テンキー等の入力手段である。表示部１８は、ＬＣＤ等の出力手段である。音声入力部１９は、マイク等の音声を入力する入力装置である。無線電話通信部２０は、無線電話通信を制御する。記憶部２１は、設定情報、制御プログラム等を格納する記憶手段である。
【００５７】
図４は、実施形態における第１のシーケンス図である。
自機１００および対向機器２００は、説明の便宜上、携帯電話機１０と同様の構成を有する場合を例に説明する。
【００５８】
まず、コンテンツ受信装置１００である自機１００の近距離無線制御部１００−１２は、例えば、図４に示す操作部１７における操作に基づく、端末制御部１１によるストリーミングチャネルの確立要求（ステップＳ１０１）を受ける。
【００５９】
また、近距離無線制御部１００−１２は、Bluetooth通信制御部１００−１３（図３の「ＢＴ１００−１３」）に対し、コンテンツを送信するコンテンツ送信装置２００である対向機器２００のBluetooth通信制御部２００−１３との間でBluetoothのA2DP接続を確立させる（ステップＳ１０２，Ｓ１０３）。
【００６０】
ここで、自機１００は、例えば、ＡＶ機器２，３からコンテンツを受信する携帯電話機１０、或いは、携帯電話機１０からコンテンツを受信するヘッドセットである。また、対向機器２００は、例えば、ヘッドセットにコンテンツを送信する携帯電話機１０、或いは、携帯電話機１０にコンテンツを送信するＡＶ機器２，３である。
【００６１】
自機１００の近距離無線制御部１００−１２は、Bluetooth通信制御部１００−１３からの接続応答（ステップＳ１０４）後、例えば操作部１７における操作に基づくストリーミングデータ転送要求（Ｓ１０５）に応じて、Bluetooth通信制御部１００−１３に、Bluetooth A2DPのオープンを要求する（ステップＳ１０６）。これにより、Bluetooth通信制御部１００−１３によるストリーミング通信が行われる（ステップＳ１０７）。
【００６２】
以上のステップＳ１０１〜Ｓ１０７がBluetoothのストリーミング通信についての処理である（図４の（１−１））。
【００６３】
Bluetoothの通信品質が予め定められた基準よりも劣化すると（ステップＳ１０７−１）、複数回のエラーパケットが発生するようになる（ステップＳ１０８，Ｓ１０９）。これにより、Bluetoothの通信品質を監視している近距離無線制御部１００−１２にBluetooth通信制御部１００−１３からデータが受信できないことが通知される。
【００６４】
自機１００の近距離無線制御部１００−１２は、例えば、エンコード方式、パケットサイズなどに応じた、許容しうるデータの欠損率（転送エラー率）を下回っているという基を満たす（確保できる）か判断する（ステップＳ１１０）。
【００６５】
以上のステップＳ１０７−１〜Ｓ１１０が通信品質の劣化に基づく処理である（図４の（１−２））。
【００６６】
自機１００の近距離無線制御部１００−１２は、通信品質が基準を満たさないと判断した場合（ステップＳ１１０がＮｏ）、ＷＬＡＮ通信制御部１００−１４（図３の「ＷＬＡＮ１００−１４」）に対し、対向機器２００のＷＬＡＮ通信制御部２００−１４との間でＷＬＡＮ接続を確立させる（ステップＳ１１１，Ｓ１１２）。
【００６７】
なお、ＷＬＡＮ通信制御部１００−１４を一例とする第２の無線通信部は、複数の無線通信部の中から、通信品質監視部１０３により監視される通信品質と、消費電力とに基づいて、例えば、通信品質の基準を満たし、且つ、基準を満たす無線通信部のうち消費電力が最も小さいものを選択されるとよい。このことは、図５〜図７の第２〜第４のシーケンス図においても同様である。
【００６８】
自機１００の近距離無線制御部１００−１２は、ＷＬＡＮ通信制御部１００−１４からの接続応答（ステップＳ１１３）後、予め定められた通信品質を満たすか判断する（ステップＳ１１４）。通信品質の判断は、ステップＳ１１０と同様に、例えば、エンコード方式、パケットサイズなどに応じた、許容しうるデータの欠損率（転送エラー率）を上回るか否かにより判断されればよい。
【００６９】
以上のステップＳ１１１〜Ｓ１１４がＷＬＡＮ接続についての処理（図４の（１−３））であるが、ＷＬＡＮ接続は予めＡＰ（アクセスポイント）等の対向機器２と接続済であっても構わない。
【００７０】
自機１００の近距離無線制御部１００−１２は、ＷＬＡＮ接続部１００−１４の通信品質が基準を満たすと判断した場合（ステップＳ１１４がＹｅｓ）には、図２に示すＤＬＮＡ機器動作制御部１５に指示してＷＬＡＮ接続を使用して周囲のＤＬＮＡ機器の能力取得を要求する（ステップＳ１１５）。
【００７１】
この能力取得要求（ステップＳ１１５）に基づき、ＷＬＡＮ通信制御部１００−１４は、他の機器（Bluetooth接続されていた対向機器２００など）から、ＤＬＮＡ機器を検索し（ステップＳ１１６およびＳ１１７）、検索結果の中で、コンテンツを送信するＤＭＳ機能を搭載した機器であるかなどのデバイス情報を検出し（ステップＳ１１８およびＳ１１９）、コンテンツ情報（例えばコンテンツ一覧）を取得する（ステップＳ１２０およびＳ１２１）。
【００７２】
これらの能力取得の応答（ステップＳ１２２）に応じて、近距離無線制御部１００−１２は、他の機器（例えば対向機器２００）がストリーミング通信を引き継ぐことができる機器であるか、すなわちＷＬＡＮによるストリーミング通信（コンテンツ再生）が可能か判断する（ステップＳ１２３）。
【００７３】
以上のステップＳ１１５〜Ｓ１２３が他の機器の能力取得に基づくストリーミング通信可能か否かの判断についての処理である（図４の（１−４））。
【００７４】
対向機器２００との間のＷＬＡＮによりストリーミング通信を引き継ぐことができると判断できた場合（ステップＳ１２３がＹｅｓ）には、自機１００の近距離無線制御部１００−１２は、ＷＬＡＮ通信制御部１００−１４を介して対向機器２００にコンテンツ再生要求を出す（ステップＳ１２４）。
【００７５】
この再生要求では、ＷＬＡＮ通信制御部１００−１４が、対向機器２００のＷＬＡＮ通信制御部２００−１４にコンテンツ取得を要求し（ステップＳ１２５）、対向機器１００からのコンテンツ転送（ステップＳ１２６）およびストリーミング通信（Ｓ１２７）が開始される。
【００７６】
自機１００の近距離無線制御部１００−１２は、ＷＬＡＮ通信制御部１００−１４からのコンテンツの再生応答（ステップＳ１２８）後、ＢＴ通信制御部１００−１３にBluetooth A2DPのクローズ要求を出す（ステップＳ１２９）。近距離無線制御部１００−１２は、Bluetooth A2DPが切断されると（ステップＳ１３０）、ＢＴ通信制御部１００−１３からクローズ応答（ステップＳ１３１）が通知される。
【００７７】
このように、近距離無線制御部１００−１２は、コンテンツ転送要求をＷＬＡＮ通信制御部１００−１４に出してＷＬＡＮ上のＤＬＮＡによるストリーミング通信を開始し、ＷＬＡＮ上のＤＬＮＡによるストリーミング再生のためのデータ転送とBT A2DPのストリーミングによるデータ転送を予め定めた時間だけ同時に行った後に、BT A2DPのストリーミング再生を停止して切り替える。つまり、近距離無線制御部１００−１２は、ストリーミング通信する無線通信部の切り替えが完了した後に、切り替え前のＷＬＡＮ通信制御部１００−１４によるコンテンツの受信を切断する。
【００７８】
以上のステップＳ１２４〜Ｓ１３１が通信方式の切り替えについての処理である（図４の（１−５））。
【００７９】
図８は、ストリーミングデータのオーバーラップを説明するための説明図である。
図８に示すように、転送される再生コンテンツ（音楽データ）、その転送データ（ＲＴＰ）、および実際に再生するデータ（ＲＴＰ）についての関係を示したものである。
上述の説明と同様であるが、Bluetoothで転送されたコンテンツ（ストリーミングデータ）を自機１００が再生中に通信品質（音質）が劣化すると（図８の（Ａ））、切り替え候補であるＷＬＡＮ接続が試みられる（図８の（Ｂ））。
【００８０】
通信品質が予め定めた基準が満たされ、且つ、再生中のコンテンツを送信するためのデータ転送手順をコンテンツ送信装置２００（対向機器２００）がサポートすることで、無線通信部の切り替えが可能と判断された場合、データ（コンテンツ）転送が開始され、その後、ＷＬＡＮを使用したストリーミング通信が開始される。そして、予め定めた時間だけBluetoothを使用したデータ転送と重複（オーバーラップ）（図８の（Ｃ））して行った後に、無線通信部の切替後、一定時間経過後にBluetoothを使用したデータ転送が停止される（図８の（Ｄ））。
【００８１】
図８に示すように、ＷＬＡＮの接続が確立してコンテンツの転送が開始された後、再生コンテンツの２つのエレメント（時間２×ａ）に対応する１つのパケット分遅れてＷＬＡＮによるストリーミング通信が行われる。さらに、１つのパケット分送れてBluetoothが切断されている。
【００８２】
ＷＬＡＮによるコンテンツの転送が開始された後、無線通信部の切り替え（再生データ切り替え）までの期間、或いは、無線通信部の切り替え後、Bluetoothの切断までの期間は、例えば、コンテンツ（ＡＡＣ、ＳＢＣ、ＡＴＲＡＣなど）ごとの１パケットにおける再生時間、エンコード方式、切り替え前の通信品質（切り替えの必要性）などに応じて決定されればよい。
【００８３】
なお、ＷＬＡＮ上のＤＬＮＡによるストリーミング通信のためのデータ転送とBT A2DPのストリーミングによるデータ転送とが異なるもので、シームレスな切り替えが行うことが難しく音切れ等が発生することが懸念される場合には、一旦意図的にストリーミング通信（ストリーミング再生部によるストリーミング再生）を停止するとよい。そして、ＷＬＡＮ上のＤＬＮＡによるデータ転送からBT A2DPのデータ転送に切り替えた後にストリーミング通信（再生）を再開してもよい。このように、ストリーミング通信する無線通信部の切り替えが完了する前に、切り替え前の無線通信部によるコンテンツの受信を切断する場合、ストリーミング通信（再生）の停止中に、切り替えをアナウンスするようにしてもよい。
【００８４】
図５は、実施形態における第２のシーケンス図である。
図５の第２のシーケンス図では、コンテンツ受信装置１００の近距離無線制御部１００−１２は、ＷＬＡＮ通信制御部１００−１４がコンテンツをストリーミング通信しているときにBluetooth通信制御部１００−１３の通信品質が基準を満たすか例えばポーリングして判定する。近距離無線制御部１００−１２は、基準を満たすと判定した場合、ＤＬＮＡ機器動作制御部１５によりBluetooth通信制御部１００−１３の通信方式でＷＬＡＮ通信制御部１００−１４がコンテンツを送信できると判定されることで、Bluetooth通信制御部１００−１３に切り替える。これらの点において、図５の第２のシーケンス図は、図３の第１のシーケンス図と異なる。
【００８５】
まず、コンテンツ受信装置１００である自機１００の近距離無線制御部１００−１２は、ストリーミングチャネルの確立要求（ステップＳ２０１）に応じて、Bluetooth通信制御部１００−１３に対し、コンテンツを送信する対向機器２００のBluetooth通信制御部２００−１３との間でＷＬＡＮ接続を確立させる（ステップＳ２０２，Ｓ２０３）。
【００８６】
ここで、自機１００は、例えば、携帯電話機１０からコンテンツを受信するヘッドセット、或いは、ＡＶ機器２，３からコンテンツを受信する携帯電話機１０である。
また、対向機器２００は、例えば、ヘッドセットにコンテンツを送信する携帯電話機１０、或いは、携帯電話機１０にコンテンツを送信するＡＶ機器２，３である。
【００８７】
自機１００の近距離無線制御部１００−１２は、ＷＬＡＮ通信制御部１００−１４からの接続応答（ステップＳ２０４）後、通信品質が予め定められた基準を満たすか判断する（ステップＳ２０５）。通信品質の判断は、図４のステップＳ１１０およびＳ１１４と同様に、例えば、エンコード方式、パケットサイズなどに応じた、許容しうるデータの欠損率（転送エラー率）を上回るか否かにより判断されればよい。
【００８８】
自機１００の近距離無線制御部１００−１２は、ＷＬＡＮの通信品質が基準を満たすと判断した場合（ステップＳ２０５がＹｅｓ）には、ＤＬＮＡ機器動作制御部１５に指示してＷＬＡＮ接続を使用して周囲のＤＬＮＡ機器の能力取得を要求する（ステップＳ２０６）。
【００８９】
この能力取得要求（ステップＳ２０６）に基づき、ＷＬＡＮ通信制御部１００−１４は、他の機器（対向機器２００のＷＬＡＮ通信制御部２００−１４）との間で、ＤＬＮＡ機器を検索し（ステップＳ２０７およびＳ２０８）、検索結果の中でコンテンツを転送するＤＭＳ機能を搭載した機器であるかなどのデバイス情報を検出し（ステップＳ２０９およびＳ２１０）、コンテンツ情報（例えばコンテンツ一覧）を取得する（ステップＳ２１１およびＳ２１２）。
【００９０】
これらの能力取得の応答（ステップＳ２１３）後、ストリーミングデータ転送要求（Ｓ２１４）に応じて、自機１００の近距離無線制御部１００−１２は、ＷＬＡＮ通信制御部１００−１４を介して対向機器２００にコンテンツ再生要求を出す（ステップＳ２１５）。
【００９１】
この再生要求により、ＷＬＡＮ通信制御部１００−１４は、対向機器２００のＷＬＡＮ通信制御部２００−１４にコンテンツ取得を要求し（ステップＳ２１６）、コンテンツ転送（ステップＳ２１７）およびストリーミング通信（Ｓ２１８）が開始される。
【００９２】
以上のステップＳ２０１〜Ｓ２１８がＷＬＡＮのストリーミング通信についての処理である（図５の（２−１））。
【００９３】
自機１００の近距離無線制御部１００−１２は、予め定めたインターバルでBluetoothの能力取得を要求する（ステップＳ２１９）。
この能力取得要求（ステップＳ２１９）に基づき、近距離無線制御１００−１２は、ＢＴ通信制御部１００−１３により他の機器（対向機器２００のＢＴ通信制御部２００−１３）を検索させ（ステップＳ２２０およびＳ２２１）、ＲＳＳＩ（Received Signal Strength Indication）値等の通信品質を判断するためのデータなどの能力の取得応答（ステップＳ２２２）後、接続対象となり得るBluetooth機器に対してBluetooth A2DPの接続を確立する（ステップＳ２２３〜Ｓ２２５）。
【００９４】
自機１００の近距離無線制御部１００−１２は、Bluetooth通信制御部１００−１３からの接続応答（ステップＳ２２６）後、通信品質が予め定めた基準を満たすか否か、および、再生中のコンテンツをストリーミング通信可能なデータ転送手順を対向機器２００がサポートしているか否かをチェックすることで、ストリーミング再生可能か判断する（ステップＳ２２７）。
【００９５】
以上のステップＳ２１９〜Ｓ２２７が他の機器の能力取得に基づくストリーミング通信可能か否かの判断についての処理である（図５の（２−２））。
【００９６】
近距離無線制御部１００−１２は、Bluetooth通信制御部１００−１３によるストリーミング通信可能と判断した場合（ステップＳ２２７がＹｅｓ）、ＢＴ通信制御部１００−１３にBluetooth A2DPのオープン要求を出し（ステップＳ２２８）、Bluetooth A2DPのコンテンツ転送が開始され、その後にストリーミング通信が開始される（ステップＳ２２９）。これにより、近距離無線制御部１００−１２は、オープン要求（ステップＳ２２８）に対する応答等のデータを受信する（ステップＳ２３０）。
【００９７】
以上のステップＳ２２８〜Ｓ２３０が無線通信部の切り替えについての処理である（図５の（２−３））。
【００９８】
その後、自機１００の近距離無線制御部１００−１２は、ＷＬＡＮ通信制御部１００−１４を介して対向機器２００にコンテンツの再生停止要求を出し（ステップＳ２３１）、ＷＬＡＮ接続を使用したＤＬＮＡによるストリーミング通信が停止（ステップＳ２３２およびＳ２３３）されると、コンテンツの再生停止応答を受ける（Ｓ２３４）。このように、図４の第２のシーケンス図においても、ＷＬＡＮを使用したデータ転送とbluetoothを使用したデータ転送とが重複（オーバーラップ）する。
【００９９】
以上のステップＳ２３１〜Ｓ２３４がbluetooth A2DPの切断についての処理である（図５の（２−４））。
【０１００】
図６は、実施形態における第３のシーケンス図である。
図６の第３のシーケンス図では、コンテンツ送信装置２００の近距離無線制御部２００−１２は、下記２つの条件を満たすときに、Bluetooth通信制御部２００−１３をＷＬＡＮ通信制御部２００−１４に切り替える。コンテンツ受信装置１００については、図４のシーケンス図１と同様である。
【０１０１】
２つの条件の１つは、近距離無線制御部２００−１２が、Bluetooth通信制御部２００−１３の通信品質が基準を満たさないと判定することである。もう１つは、コンテンツ受信装置１００の近距離無線制御部１００−１２により、ストリーミング通信する送信側の無線通信部を、Bluetooth通信制御部２００−１３からＷＬＡＮ通信制御部２００−１４に切り替える要求があったときである。これらの点において、図６の第３のシーケンス図は、図４の第１のシーケンス図と異なる。
【０１０２】
自機１００の近距離無線制御部１００−１２は、ストリーミングチャネルの確立要求（ステップＳ３０１）に応じて、Bluetooth通信制御部１００−１３に対し、例えば携帯電話機１０である対向機器２００のBluetooth通信制御部２００−１３との間でBluetoothのA2DP接続を確立させる（ステップＳ３０２，Ｓ３０３）。
【０１０３】
接続が確立すると、自機１００の近距離無線制御部１００−１２に接続応答がなされると共に（ステップＳ３０４）、対向機器２００の近距離無線制御部２００−１２に接続通知が送られる（ステップＳ３０５）。
【０１０４】
自機１００の近距離無線制御部１００−１２は、ストリーミングデータ転送要求（Ｓ３０６）に応じて、Bluetooth通信制御部１００−１３に、Bluetooth A2DPのオープンを要求する（ステップＳ３０７）。これにより、対向機器２００のBluetooth通信制御部２００−１３および近距離無線制御部２００−１２により、対向機器２００の図３に示すストリーミング再生制御部１６に、コンテンツの再生要求が通知され（ステップＳ３０８およびステップＳ３０９）、ストリーミング通信が行われる（ステップＳ３１０）。
【０１０５】
以上のステップＳ３０１〜Ｓ３１０がBluetoothのストリーミング通信についての処理である（図６の（３−１））。
【０１０６】
Bluetoothのストリーミング通信の通信品質が劣化すると（ステップＳ３１０−１）、複数回のエラーパケットが発生するようになり、Bluetoothの通信品質を監視している近距離無線制御部１００−１２にBluetooth通信制御部１００−１３からデータが受信できないことが通知される（ステップＳ３１１，Ｓ３１３）。また、対向機器２００の近距離無線制御部１００−１２に送信エラー通知が送られる（ステップＳ３１２およびＳ３１４）。
【０１０７】
自機１００の近距離無線制御部１００−１２は、例えば、エンコード方式、パケットサイズなどに応じた、許容しうるデータの欠損率（転送エラー率）を上回るか否かにより、予め定められた通信品質の基準を満たすか判断する（ステップＳ３１５）。
【０１０８】
以上のステップＳ３１０−１〜Ｓ３１５が通信品質の劣化に基づく処理である（図６の（３−２））。
【０１０９】
自機１００の近距離無線制御部１００−１２は、通信品質を確保できないと判断した場合（ステップＳ３１５がＮｏ）、ＷＬＡＮ通信制御部１００−１４に対し、対向機器２００のＷＬＡＮ通信制御部２００−１４との間でＷＬＡＮ接続を確立させる（ステップＳ３１６およびＳ３１７）。そして、自機１００に接続応答が送られ（ステップＳ３１８）、対向機器２００に接続通知が送られる（Ｓ３１９）。
【０１１０】
その後、自機１００の近距離無線制御部１００−１２は、予め定められた通信品質を確保できるか判断する（ステップＳ３２０）。通信品質の判断は、ステップＳ３１５と同様に、例えば、エンコード方式、パケットサイズなどに応じた、許容しうるデータの欠損率（転送エラー率）を上回るか否かにより判断されればよい。
【０１１１】
以上のステップＳ３１６〜Ｓ３２０がＷＬＡＮ接続についての処理（図６の（３−３））である。
【０１１２】
自機１００の近距離無線制御部１００−１２は、ＷＬＡＮの通信品質が基準を満たすと判断した場合（ステップＳ３２０がＹｅｓ）には、ＤＬＮＡ機器動作制御部１５に指示してＷＬＡＮ接続を使用して周囲のＤＬＮＡ機器の能力取得を要求する（ステップＳ３２１）。
【０１１３】
この能力取得要求（ステップＳ３２１）に基づき、ＷＬＡＮ通信制御部１００−１４は、他の機器（対向機器２００）との間で、ＤＬＮＡ機器を検索し（ステップＳ３２２およびＳ３２３）、検索結果の中でコンテンツを転送するＤＭＳ機能を搭載した機器であるかなどのデバイス情報を検出し（ステップＳ３２４およびＳ３２５）、コンテンツ情報（例えばコンテンツ一覧）を取得する（ステップＳ３２６およびＳ３２７）。
【０１１４】
これらの能力取得の応答（ステップＳ３２８）に応じて、近距離無線制御部１００−１２は、他の機器（対向機器２００）がストリーミング再生を引き継ぐことができる機器であり、ストリーミング通信可能か判断する（ステップＳ３２９）。
【０１１５】
以上のステップＳ３２１〜Ｓ３２９が他の機器の能力取得に基づくストリーミング通信可能か否かの判断についての処理である（図６の（５−４））。
【０１１６】
対向機器２００との間のＷＬＡＮによりストリーミング通信を引き継ぐことができると判断できた場合（ステップＳ３２９がＹｅｓ）には、自機１００のＤＬＮＡ機器動作制御部１５は、近距離無線制御部１００−１２によりＷＬＡＮ通信制御部１００−１４を介して対向機器２００にコンテンツ再生要求を出す（ステップＳ３３０）。
【０１１７】
この再生要求では、ＷＬＡＮ通信制御部１００−１４は、対向機器２００のＷＬＡＮ通信制御部２００−１４にコンテンツ取得を要求する（ステップＳ３３１）。
ここで、対向機器２００の近距離無線制御部２００−１２は、下記２つの条件を満たすときに、Bluetooth通信制御部２００−１３を自機１００の要求どおりにＷＬＡＮ通信制御部２００−１４に切り替える。
【０１１８】
２つの条件の１つは、近距離無線制御部２００−１２が、Bluetooth通信制御部２００−１３の通信品質が基準を満たさないと判定することである。これは、例えば送信エラー通知（ステップＳ３１２，Ｓ３１３）の数により判定可能である。もう１つは、コンテンツ受信装置１００の近距離無線制御部１００−１２により、ストリーミング通信する送信側の無線通信部を、Bluetooth通信制御部２００−１３からＷＬＡＮ通信制御部２００−１４に切り替える要求があったときである。
【０１１９】
２つの条件を満たす場合、近距離無線制御部２００−１２は、Bluetooth通信制御部２００−１３および近距離無線制御部２００−１２により、図３に示すストリーミング再生制御部１６に、コンテンツの再生要求を通知する（ステップＳ３３２およびステップＳ３３３）。
【０１２０】
これにより、コンテンツ転送（ステップＳ３３４）が開始され、その後、ストリーミング通信（Ｓ３３５）が開始される。
自機１００の近距離無線制御部１００−１２は、ＷＬＡＮ通信制御部１００−１４からのコンテンツの再生応答（ステップＳ３３６）後、ＢＴ通信制御部１００−１３にBluetooth A2DPのクローズ要求を出し（ステップＳ３３７）、Bluetooth A2DPの切断処理（ステップＳ３３８）が行われる。
【０１２１】
自機１００の近距離無線制御部１００−１２にはクローズ応答（ステップＳ３３９）が通知され、対向機器２００には、Bluetooth通信制御部２００−１３および近距離無線制御部２００−１２により、ストリーミング再生制御部１６に、コンテンツの再生停止要求が通知される（ステップＳ３４０およびステップＳ３４１）。
【０１２２】
このように、近距離無線制御部１００−１２は、コンテンツ転送要求をＷＬＡＮ通信制御部１００−１４に出してＷＬＡＮ上のＤＬＮＡによるストリーミング再生を開始し、ＷＬＡＮ上のＤＬＮＡによるストリーミング再生のためのデータ転送とBT A2DPのストリーミングによるデータ転送とを予め定めた時間だけ同時に行った後に、BT A2DPのストリーミング再生を停止して切り替える。
【０１２３】
以上のステップＳ３３０〜Ｓ３４１が通信方式の切り替えについての処理である（図６の（３−５））。
【０１２４】
図７は、実施形態における第４のシーケンス図である。
図７の第４のシーケンス図では、近距離無線制御部２００−１２は、コンテンツ受信装置１００の近距離無線制御部１００−１２により、ストリーミング通信する送信側の無線通信部を、ＷＬＡＮ通信制御部２００−１４からBluetooth通信制御部２００−１３に切り替える要求があったとき、ＷＬＡＮ通信制御部２００−１４からBluetooth通信制御部２００−１３への切替を行う。この点において、図７の第４のシーケンス図は、図５の第２のシーケンス図と相違する。コンテンツ受信装置１００については、図５の第２のシーケンス図と同様である。
【０１２５】
まず、コンテンツ受信装置１００である自機１００の近距離無線制御部１００−１２は、ストリーミングチャネルの確立要求（ステップＳ４０１）に応じて、Bluetooth通信制御部１００−１３に対し、コンテンツを送信する対向機器２００のBluetooth通信制御部２００−１３との間でＷＬＡＮ接続を確立させる（ステップＳ４０２，Ｓ４０３）。
【０１２６】
ここで、自機１００は、例えば、携帯電話機１０からコンテンツを受信するヘッドセット、或いは、ＡＶ機器２，３からコンテンツを受信する携帯電話機１０である。
また、対向機器２００は、例えば、ヘッドセットにコンテンツを送信する携帯電話機１０、或いは、携帯電話機１０にコンテンツを送信するＡＶ機器２，３である。
【０１２７】
自機１００の近距離無線制御部１００−１２は、ＷＬＡＮ通信制御部１００−１４からの接続応答（ステップＳ４０４）を受け、対向機器２００の近距離無線制御部２００−１２は、ＷＬＡＮ通信制御部２００−１４からの接続応答（ステップＳ４０５）を受ける。
【０１２８】
自機１００の近距離無線制御部１００−１２は、通信品質が予め定められた基準を満たすか判断する（ステップＳ４０６）。通信品質の判断は、図４のステップＳ１１０およびＳ１１４と同様に、例えば、エンコード方式、パケットサイズなどに応じた、許容しうるデータの欠損率（転送エラー率）を上回るか否かにより判断されればよい。
【０１２９】
自機１００の近距離無線制御部１００−１２は、ＷＬＡＮの通信品質が基準を満たすと判断した場合（ステップＳ４０６がＹｅｓ）には、ＤＬＮＡ機器動作制御部１５に指示してＷＬＡＮ接続を使用して周囲のＤＬＮＡ機器の能力取得を要求する（ステップＳ４０７）。
【０１３０】
この能力取得要求（ステップＳ４０７）に基づき、ＷＬＡＮ通信制御部１００−１４は、他の機器（対向機器２００のＷＬＡＮ通信制御部２００−１４）との間で、ＤＬＮＡ機器を検索し（ステップＳ４０８およびＳ４０９）、検索結果の中でコンテンツを送信するＤＭＳ機能を搭載した機器であるかなどのデバイス情報を検出し（ステップＳ４１０およびＳ４１１）、コンテンツ情報（例えばコンテンツ一覧）を取得する（ステップＳ４１２およびＳ４１３）。
【０１３１】
これらの能力取得の応答（ステップＳ４２４）後、ストリーミングデータ転送要求（Ｓ４１４）に応じて、自機１００の近距離無線制御部１００−１２は、ＷＬＡＮ通信制御部１００−１４を介して対向機器２００にコンテンツ再生要求を出す（ステップＳ４１６）。
【０１３２】
この再生要求により、ＷＬＡＮ通信制御部１００−１４は、対向機器２００のＷＬＡＮ通信制御部２００−１４にコンテンツ取得を要求する（ステップＳ４１７）。これに対し、ＷＬＡＮ通信制御部２００−１４は、近距離無線制御部２００−１２によるコンテンツ転送の要求を受け（ステップＳ４１８，Ｓ４１９）、コンテンツ転送（ステップＳ４２０）およびストリーミング通信（Ｓ４２１）が開始される。
【０１３３】
以上のステップＳ４０１〜Ｓ４２１がＷＬＡＮのストリーミング通信についての処理である（図７の（４−１））。
自機１００の近距離無線制御部１００−１２は、予め定めたインターバルでBluetoothの能力取得を要求する（ステップＳ４２２）。
【０１３４】
この能力取得要求（ステップＳ４２２）に基づき、近距離無線制御１００−１２は、ＢＴ通信制御部１００−１３により他の機器（対向機器２００のＢＴ通信制御部２００−１３）を検索させ（ステップＳ４２３および４２４）、ＲＳＳＩ（Received Signal Strength Indication）値等の通信品質を判断するためのデータなどの能力の取得応答（ステップＳ４２５）後、接続対象となり得るBluetooth機器に対してBluetooth A2DPの接続を確立する（ステップＳ４２６〜Ｓ４２８）。
【０１３５】
そして、対向機器２００のBluetooth通信部２００−１３に対して、自機１００からのコンテンツ転送要求が通知される（ステップＳ４２９，Ｓ４３０）。
自機１００の近距離無線制御部１００−１２は、ＢＴ通信制御部１００−１３からの接続応答（ステップＳ４３１）後、通信品質が予め定めた基準を満たすか否か、および、再生中のコンテンツをストリーミング通信可能なデータ転送手順を対向機器２００がサポートしているか否かをチェックすることで、ストリーミング再生可能か判断する（ステップＳ４３２）。
【０１３６】
以上のステップＳ４２２〜Ｓ４３２が他の機器の能力取得に基づくストリーミング通信可能か否かの判断についての処理である（図７の（４−２））。
【０１３７】
近距離無線制御部１００−１２は、ストリーミング通信可能と判断した場合（ステップＳ４３２がＹｅｓ）、Bluetooth通信制御部１００−１３にBluetooth A2DPのオープン要求を出す（ステップＳ４３３）。
【０１３８】
ここで、コンテンツ送信装置２００の近距離無線制御部２００−１２は、コンテンツ受信装置１００の近距離無線制御部１００−１２により、ストリーミング通信する送信側の無線通信部を、ＷＬＡＮ通信制御部２００−１４からBluetooth通信制御部２００−１３に切り替える要求があった場合に（ステップＳ４２９，Ｓ４３０の後）、ＷＬＡＮ通信制御部２００−１４からBluetooth通信制御部２００−１３への切替を行う。
【０１３９】
Bluetooth A2DPのストリーミング通信が開始されると（ステップＳ４３４）、自機１００の無線通信制御部１００−１２によりストリーミングデータが取得される（ステップＳ４３５）。
【０１４０】
以上のステップＳ４３３〜Ｓ４３５が無線通信部の切り替えについての処理である（図７の（４−３））。
【０１４１】
その後、自機１００の近距離無線制御部１００−１２は、ＷＬＡＮ通信制御部１００−１４を介して対向機器２００にＷＬＡＮ通信制御部２００−１４によるコンテンツの転送（再生）停止要求を出す（ステップＳ４３７）。また、近距離無線制御部１００−１２は、ＷＬＡＮ接続を使用したＤＬＮＡによるストリーミング通信が停止（ステップＳ４３７およびＳ４３８）されると、コンテンツの再生停止応答を受ける（Ｓ４３９）。そして、対向機器２００のＷＬＡＮ通信制御部２００−１４および無線通信制御部２００−１２は、対向機器２００におけるコンテンツの再生を停止する（ステップＳ４４０，Ｓ４４１）。
【０１４２】
このように、図４の第２のシーケンス図においても、ＷＬＡＮを使用したデータ転送とbluetoothを使用したデータ転送とが重複（オーバーラップ）する。
【０１４３】
以上のステップＳ４３６〜Ｓ４４１がbluetooth A2DPの切断についての処理である（図７の（４−４））。
【０１４４】
以上説明した実施形態では、切替部１０７（近距離無線通信制御部１２）は、下記の３つの判定条件により、コンテンツをストリーミング通信する無線通信部を、第１の無線通信部１０１から第２の無線通信部１０２に切り替える。
【０１４５】
３つの判定条件のうちの１つ目は、通信品質判定部１０３（近距離無線通信制御部１２）が、ストリーミング通信中の第１の無線通信部１０１（Bluetooth通信制御部１３）の通信品質が基準を満たさないと判断することである。
【０１４６】
３つの判定条件のうちの２つ目は、通信品質判定部１０３（近距離無線通信制御部１２）が、第２の無線通信部１０２（ＷＬＡＮ通信制御部１４）の通信品質が基準を満たすと判定することである。
【０１４７】
３つの判定条件のうちの３つ目は、送信装置判定部１０６（ＤＬＮＡ機器動作制御部１５）が第２の無線通信部１０２の通信方式で他の無線通信装置（コンテンツ送信装置２００）がコンテンツを送信できると判定することである。
【０１４８】
そのため、本実施形態では、ストリーミング通信の通信品質が劣化した場合でも、第１の無線通信部から、より送信電力の大きい第２の無線通信部を切り替えることで、ストリーミング通信を適切に実行できるようにすることができる。
【０１４９】
また、本実施形態では、コンテンツ受信装置１００の近距離無線制御部１００−１２は、ＷＬＡＮ通信制御部１００−１４がコンテンツをストリーミング通信しているときにBluetooth通信制御部１００−１３の通信品質が基準を満たすか例えばポーリングして判定する。近距離無線制御部１００−１２は、基準を満たすと判定し、且つＤＬＮＡ機器動作制御部１５によりBluetooth通信制御部１００−１３の通信方式でＷＬＡＮ通信制御部１００−１４がコンテンツを送信できると判定される場合に、ＷＬＡＮ通信制御部１００−１４を、より送信電力の小さいBluetooth通信制御部１００−１３に切り替えることができる。
【０１５０】
また、本実施形態では、切替部１０７は、ＷＬＡＮ通信制御部１４を一例とする第２の無線通信部１０２を、複数の無線通信部の中から、通信品質監視部１０３により監視される通信品質と、消費電力との観点で、例えば、通信品質の基準を満たし、且つ、基準を満たす無線通信部のうち消費電力が最も小さいものを選択する。そのため、ストリーミング通信を適切に実行できる。
【０１５１】
また、本実施形態では、切替部１０７は、ストリーミング通信する無線通信部の切り替えが完了した後に、切り替え前の無線通信部によるコンテンツの受信を切断する。そのため、音切れ等の発生をより確実に防ぐことができる。
【０１５２】
また、本実施形態では、切替部１０７が、ストリーミング通信する無線通信部の切り替えが完了する前に、切り替え前の無線通信部によるコンテンツの受信を切断する場合、意図せぬ音切れ等の発生をより確実に防ぐことができる。
【０１５３】
以上説明した実施形態に関し、更に以下の付記を開示する。
（付記１）
無線通信装置であって、
第１の無線通信部と、
該第１の無線通信部とは通信方式が異なる第２の無線通信部と、
前記第１の無線通信部および前記第２の無線通信部の通信品質を監視する通信品質監視部と、
前記通信品質監視部により監視される通信品質が予め定められた基準を満たすかを判定する通信品質判定部と、
前記第１の無線通信装置または前記第２の無線通信装置により受信されるコンテンツをストリーミング再生するストリーミング再生部と、
他の無線通信装置が所定の通信方式で前記コンテンツを送信できるかを判定する送信装置判定部と、
前記通信品質判定部が、前記コンテンツをストリーミング通信中の前記第１の無線通信部の通信品質が基準を満たさないと判定し、且つ前記第２の無線通信部の通信品質が基準を満たすと判定し、更に、前記送信装置判定部が、前記第２の無線通信部の通信方式で他の無線通信装置が前記コンテンツを送信できると判定した場合に、前記ストリーミング再生部が再生するコンテンツをストリーミング通信する無線通信部を、前記第１の無線通信部から前記第２の無線通信部に切り替える切替部と、
を具備することを特徴とする無線通信装置。
（付記２）
付記１記載の無線通信装置であって、
前記第２の無線通信部は前記第１の無線通信部の通信方式よりも送信電力が大きい通信方式を用いる
ことを特徴とする無線通信装置。
（付記３）
付記１または２記載の無線通信装置であって、
前記第２の無線通信部が前記コンテンツをストリーミング通信しているときに、前記切替部は、前記通信品質判定部により前記第１の無線通信部の通信品質が基準を満たすと判定され、且つ前記送信装置判定部により前記第１の無線通信部の通信方式で他の無線通信装置が前記コンテンツを送信できると判定された場合に、ストリーミング通信する無線通信部を、前記第２の無線通信部から前記第１の無線通信部に切り替える、
ことを特徴とする無線通信装置。
（付記４）
付記１から付記３のいずれか記載の無線通信装置であって、
前記切替部は、複数の無線通信部の中から、前記通信品質監視部により監視される前記複数の無線通信部の通信品質と、前記複数の無線通信部の消費電力とに基づいて、前記第２の無線通信部を選択する、
ことを特徴とする無線通信装置。
（付記５）
付記１から付記４のいずれか記載の無線通信装置であって、
前記切替部は、ストリーミング通信する前記無線通信部の切り替えが完了した後に、切り替え前の前記無線通信部による前記コンテンツの受信を切断する、
ことを特徴とする無線通信装置。
（付記６）
付記１から付記４のいずれか記載の無線通信装置であって、
前記切替部は、ストリーミング通信する前記無線通信部の切り替えが完了する前に、切り替え前の前記無線通信部による前記コンテンツの受信を切断する、
ことを特徴とする無線通信装置。
（付記７）
付記１から付記６のいずれか記載の無線通信装置であるコンテンツ受信装置と、
前記コンテンツ受信装置にコンテンツを送信するコンテンツ送信装置と、
を具備する無線通信システムであって、
前記コンテンツ送信装置は、
前記コンテンツ受信装置の前記第１の無線通信部に接続可能な第１の送信側無線通信部と、
前記コンテンツ受信装置の前記第２の無線通信部に接続可能な第２の送信側無線通信部と、
前記第１の送信側無線通信部および前記第２の送信側無線通信部の通信品質を監視する送信側通信品質監視部と、
前記送信側通信品質監視部により監視される通信品質が予め定められた基準を満たすかを判定する送信側通信品質判定部と、
前記送信側通信品質判定部により前記コンテンツをストリーミング通信中の前記第１の送信側無線通信部の通信品質が基準を満たさないと判定され、且つ、前記コンテンツ受信装置の前記切替部により、ストリーミング通信する送信側無線通信部を、前記第１の送信側無線通信部から前記第２の送信側無線通信部に切り替える要求があった場合に、ストリーミング通信する送信側無線通信部を、前記第１の送信側無線通信部から前記第２の送信側無線通信部に切り替える送信側切替部と、
を具備することを特徴とする無線通信システム。
（付記８）
第１の無線通信部と、該第１の無線通信部とは通信方式が異なる第２の無線通信部と、を用いる無線通信方法であって、
前記第１の無線通信部により受信されるコンテンツをストリーミング再生し、
前記第１の無線通信部の通信品質を監視し、
前記第１の無線通信部の通信品質が予め定められた基準を満たすかを判定し、
前記第１の無線通信部の通信品質が予め定められた基準を満たさないと判定された場合、前記第２の無線通信部の通信品質を監視し、
前記第２の無線通信部の通信品質が予め定められた基準を満たすかを判定すると共に、前記第２の無線通信部の通信方式で他の無線通信装置が前記コンテンツを送信できるか判定し、
前記第２の無線通信部の通信品質が予め定められた基準を満たすと判定され、且つ、前記第２の無線通信部の通信方式で他の無線通信装置が前記コンテンツを送信できると判定された場合に、ストリーミング通信する無線通信部を、前記第１の無線通信部から前記第２の無線通信部に切り替える、
ことを特徴とする無線通信方法。
（付記９）
付記８記載の無線通信方法であって、
前記第２の無線通信部は前記第１の無線通信部の通信方式よりも送信電力が大きい通信方式を用いる
ことを特徴とする無線通信方法。
（付記１０）
付記８または付記９記載の無線通信方法であって、
前記第２の無線通信部が前記コンテンツをストリーミング通信しているときに、前記第１の無線通信部の通信品質が基準を満たすと判定され、且つ前記第１の無線通信部の通信方式で他の無線通信装置が前記コンテンツを送信できると判定された場合に、ストリーミング通信する無線通信部を、前記第２の無線通信部から前記第１の無線通信部に切り替える、
ことを特徴とする無線通信方法。
（付記１１）
付記８から付記１０のいずれか記載の無線通信方法であって、
複数の無線通信部の中から、前記複数の無線通信部の通信品質と、前記複数の無線通信部の消費電力とに基づいて、前記第２の無線通信部を選択する、
ことを特徴とする無線通信方法。
（付記１２）
付記８から付記１１のいずれか記載の無線通信方法であって、
ストリーミング通信する前記無線通信部の切り替えが完了した後に、切り替え前の前記無線通信部による前記コンテンツの受信を切断する、
ことを特徴とする無線通信方法。
（付記１３）
付記８から付記１１のいずれか記載の無線通信方法であって、
ストリーミング通信する前記無線通信部の切り替えが完了する前に、切り替え前の前記無線通信部による前記コンテンツの受信を切断する、
ことを特徴とする無線通信方法。
【符号の説明】
【０１５４】
１      無線通信システム
２      テレビ
３      レコーダ
１０      携帯電話機
１１      端末制御部
１２      近距離無線制御部
１３      Bluetooth通信制御部
１４      ＷＬＡＮ通信制御部
１５      ＤＬＮＡ機器動作制御部
１６      ストリーミング再生制御部
１７      操作部
１８      表示部
１９      音声入力部
２０      無線電話通信部
２１      記憶部
１００      コンテンツ受信装置
１０１      第１の無線通信部
１０２      第２の無線通信部
１０３      通信品質監視部
１０４      通信品質判定部
１０５      ストリーミング再生部
１０６      送信装置判定部
１０７      切替部
２００      コンテンツ送信装置
２０１      第１の送信側無線通信部
２０２      第２の送信側無線通信部
２０３      送信側通信品質監視部
２０４      送信側通信品質判定部
２０５      コンテンツ再生部
２０６      送信側切替部
【図２】
2013110478.tif 000003
【図３】
2013110478.tif 000004
【図４】
2013110478.tif 000005
【図５】
2013110478.tif 000006
【図６】
2013110478.tif 000007
【図７】
2013110478.tif 000008
【図１Ａ】
2013110478.tif 000009
【図１Ｂ】
2013110478.tif 000010
【図８】
2013110478.tif 000011